(57)【特許請求の範囲】
【請求項１】
土台部とバック部を脇部連結帯を介して一体的に形成しており、該脇部連結帯を伸縮性レース生地からなる表地と伸縮性編地からなる裏地との２重構造とし、
前記表地は伸縮パワーの大きい領域と伸縮パワーの小さい領域を設け、
前記伸縮パワーの大きい領域は、幅５ｍｍ〜３０ｍｍで下辺部に胴回り方向に設けて前記バック部の先端まで延在させ、該表地の下辺部に伸縮性テープ地を設けておらず、該表地の下辺部を除く上側部分を伸縮パワーの小さい領域とする一方、
前記裏地は、前記表地の伸縮パワーの小さい領域の伸縮パワー以下の伸縮パワーを有すると共に伸縮パワーが異なる部位を設けていない前記伸縮性編地で形成し、
かつ、前記脇部連結帯および前記土台部とバック部の表地および裏地の下辺部は、共に折り返すことなく平坦状に重合、縫着していることを特徴とするブラジャー。
【請求項２】
前記表地に編み込まれているポリウレタン弾性糸の太さは、伸縮パワーの大きい領域及び伸縮パワーの小さい領域共に同じ太さとし、前記伸縮パワーの大きい領域は、ポリウレタン弾性糸の編込本数を伸縮パワーの小さい領域よりも多く編み込むように構成したことを特徴とする請求項１に記載のブラジャー。
【請求項３】
前記土台部を形成する表地と裏地の間に非伸縮性布地を挿入して三重構造とし、かつ、該土台部の脇部端縁内面にボーンを設けたことを特徴とする請求項１または請求項２に記載のブラジャー。
【発明の詳細な説明】
【０００１】
【発明の属する技術分野】
本発明は、ブラジャーの着用圧を軽減することにより、脇部連結帯の身体への食込みを防止し、且つ乳房の保形機能を確保すると共に着用時のソフト感が良好で、しかも動き易い機能性を有したブラジャーを提供するものである。
【０００２】
【従来の技術】
従来、ブラジャ−等の脇部連結帯には、伸縮性のあるレース等の表地と該レース生地の伸縮パワーを補う為にさらに伸縮パワーの強い裏地を設けて二重構造とし、更に脇部連結帯の上辺縁部及び下辺縁部に細幅伸縮性テープ生地を縫着したものが多く用いられている。
【０００３】
【発明が解決しようとする課題】
然しながら、上記の如く従来型の脇部連結帯の場合、伸縮パワーのあるレース生地等の表地に対して、同表地よりも更に伸縮パワーの大きい（強い）裏地によって、過度のパワーによる締め付け力（着用圧）が大きくなり、且つ前記脇部連結帯の上辺縁部及び下辺縁部に設けた細幅伸縮性テープ生地の介在により、着用圧が更に増大し、この結果、脇部連結帯の身体への食込みを生じたり、或いは同連結帯に位置ズレを生じ、カップのズレを招き、着用感が益々損なわれるという欠点があった。
【０００４】
そこで上記の脇部連結帯において、レース生地等による伸縮パワーの大きい表地に較べて、伸縮パワーの小さい伸縮性の裏地を用いることにより、締め付け力を軽減し、且つ身体への食込み発生の原因となる下辺縁部の伸縮性テープ生地の除去等、機能性を向上させることが必要なのである。
尚、上記伸縮パワーの内容について説明すると、本発明における伸縮パワーの大小（強弱）とは、伸縮性に富んだ生地を例えば生地の経方向又は緯方向に荷重をかけて引っ張る場合の荷重値の大小、即ち伸縮性生地を所定長さ引っ張る場合の引張力の大小（強弱）によって、伸縮パワーが大きいか又は小さいかを表現するものである。
【０００５】
【課題を解決するための手段】
本発明は上記の問題点を解決するために、土台部とバック部を脇部連結帯を介して一体的に形成しており、該脇部連結帯を伸縮性レース生地からなる表地と伸縮性編地からなる裏地との２重構造とし、
前記表地は伸縮パワーの大きい領域と伸縮パワーの小さい領域を設け、
前記伸縮パワーの大きい領域は、幅５ｍｍ〜３０ｍｍで下辺部に胴回り方向に設けて前記バック部の先端まで延在させ、該表地の下辺部に伸縮性テープ地を設けておらず、該表地の下辺部を除く上側部分を伸縮パワーの小さい領域とする一方、
前記裏地は、前記表地の伸縮パワーの小さい領域の伸縮パワー以下の伸縮パワーを有すると共に伸縮パワーが異なる部位を設けていない前記伸縮性編地で形成し、
かつ、前記脇部連結帯および前記土台部とバック部の表地および裏地の下辺部は、共に折り返すことなく平坦状に重合、縫着していることを特徴とするブラジャーを提供している。
更に伸縮パワーの大きい領域では、ポリウレタン弾性糸の編込本数を伸縮パワーの小さい領域よりも多くして編み込んでいることが好ましい。
【０００６】
従って伸縮パワーの大きい表地の裏面側に、表地よりも伸縮パワーの小さい裏地を設けたことにより、表地に裏地が裏打ちされたような状態で二重構造となり、表地がより確実に保持され、表地の形態安定性が向上するのである。
特に部位によって伸縮パワーの異なる表地が、肌面に食い込もうとする現象を防止することができ、且つカップ部を安定的に保持することにより、乳房の補正機能をより増進することができる。
【０００７】
また上記の如く裏地を前記表地よりも伸縮パワーの小さいパワーネット等の伸縮性布地で形成することにより、二重構造の脇部連結帯による過度の締め付けが軽減され、着用圧の低下により身体へのフィット性が、更に向上するのである。
【０００８】
前記のように、土台部及びバック部は、脇部連結帯を介して一体的に形成するようにしてあり、且つ二重構造の脇部連結帯における表地および裏地の夫々の下辺部は、共に折り返すことなく平坦状に重合、縫着してあり、更に表地の下辺部は、伸縮パワーの大きい領域で形成したことにより、伸縮性テープ地を設ける必要がなくなったのである。即ち、脇部連結帯の下辺部には、従来のようなテープ生地縫着による突起部が無くなり、肌面との接触部がより平滑状になるので、ゴロつきがなくなって着用感が向上し、しかも表地による身体への食込みがなくなり、更に表地自体のズレがなくなって、良好なフィット感が得られるのである。またカップ部が、表地の伸縮パワーの大きい領域によって脇部方向へ緊張されることにより、カップ部のずり下がりが防止され、且つ乳房の保形性を安定的に保持できるのである。
【０００９】
更に脇部連結帯の表地に編み込まれているポリウレタン弾性糸の太さについて、伸縮パワーの大きい領域及び伸縮パワーの小さい領域ともに同じ太さとし、且つ同ポリウレタン弾性糸の太さを１４０〜４５０デニールの範囲としており、しかも伸縮パワーの大きい領域では、ポリウレタン弾性糸の編込本数を複数本とし、所望のパワーが得られように調整している。
尚、上記の如く、伸縮パワーの大きい領域及び伸縮パワーの小さい領域ともに同じ太さのポリウレタン弾性糸を編み込んで生地を編成した場合、太さの異なる弾性糸を編み込んで編成した生地の場合に較べて、同じ太さの場合は、生地表面に凹凸がなく、表面が滑らかであり、且つ生地目が均質になり、しかも伸縮パワーの大きい領域と伸縮パワーの小さい領域の境界では、生地厚みによる段差を生じない。
【００１０】
また両カップ脇周辺の土台部は、前記表地と裏地の間にマーキゼット等の伸縮性の無い布地を挿入して３重構造に形成してあり、これによって両カップの位置を固定すると共に、バストの保形性を保持するようにしている。
【００１１】
前記のように、脇部連結帯は、伸縮性を有するレース生地からなる表地と伸縮性を有する裏地による二重構造で形成されており、且つ脇部のシワや歪みなどの変形防止のため、土台部の脇部にボーンの挿入が必要となり、表地と裏地の間に適宜のボーンを設けてある。このことにより土台部脇の形態安定性が保持され、且つ表地や裏地全体のシワや変形が防止されるので、肌面との接触部が平滑となり、脇部連結帯の身体への食込みやズレがなくなるため、着用感がより向上するのである。
【００１２】
また脇部連結帯を介して土台部と共に一体的に形成されたバック部は、伸縮性を有するレース生地からなる表地と伸縮性を有する裏地による二重構造で形成されており、且つ表地側に伸縮パワーの大きい領域を形成することにより、上述のような効果が得られ、更に表地側の所望の伸縮パワーによってバック部の位置ズレが防止され、これによってカップ部の位置ズレが未然に防止され、着用感の優れたブラジャーが得られるのである。
【００１３】
【発明の実施の形態】
図１〜図２において、１はブラジャ−で、２、２はカップ部、３、３は土台部、５、５はバック部、７はカップ２，２間の下方部に設けた前身部、８、８は肩紐、９、９はプラスチック製ボーンで土台部３の脇部内面に設けてある。
【００１４】
尚、前身部７は、前身用表面生地１０及び裏面生地１１により二重構造に形成されており、且つ同表面生地１０は、例えばラッセル編による伸縮性レース生地で形成されると共に、前身用裏面生地１１は、例えば経編の網目組織によるマーキゼット等、殆んど伸縮しないか、又は伸縮性に極めて乏しい経編地などの非伸縮性生地で形成するようにしてある。
また前記プラスチック製ボーン９は、図６の如く四重に折り込んだ被覆用テープ生地２７を介して被覆され、且つ適宜に縫着３１、３１されている。
【００１５】
尚、前記の土台部３及びバック部５は、図１及び図２の如く脇部連結帯１４を介して一体的に形成され、且つ同連結帯１４は、図６の如く表地１２及び裏地１３より二重構造に形成されている。
また図４及び図６の如く、土台部３を形成する表地１２と裏地１３の間に非伸縮性の布地１５を適宜に挿入、縫着３０，３１、３２して土台部３を三重構造に形成すると共に、バック部５は、表地１２及び裏地１３より二重構造に形成するようにしてある。
２０、２０は飾り状レース部で、上記脇部連結帯１４の表地１２並びに前身部７の前身用表面生地１０の下端部に夫々一体的に連設して設けてあり、２５は伸縮性テープ生地で土台部３及びバック部５の上辺裏面側に適宜縫着３０して設けてある。
【００１６】
尚、 前記脇部連結帯１４の表地１２は、ラッセル編による伸縮性レース生地で形成すると共に、裏地１３はパワーネット等の伸縮性経編地で形成するようにしてある。
また前記の非伸縮性布地１５の生地使いとしては、例えば経編の網目組織によるマーキゼット等、殆んど伸縮しないか、又は伸縮性の極めて乏しい経編地など非伸縮性生地で形成するようにしてある。
【００１７】
更に前記脇部連結帯１４の伸縮性レース生地による表地１２は、伸縮パワーの大きい領域１７と伸縮パワーの小さい領域１８から形成されるようにしてある。
また上記表地１２の伸縮性レース生地を編成するにあたり、編立方向は、図１又は図３の矢印Ｋの方向、即ちブラジャー１の水平方向（胴回り方向）に編成するようにしてあり、従って伸縮パワーの大きい領域１７及び伸縮パワーの小さい領域１８は、夫々胴回り方向に形成されるのである。
【００１８】
また上記表地１２における伸縮性レース生地の編成法としては、例えばナイロン糸等の合成繊維糸と伸縮性弾性糸を適宜交編して編成するもので、この場合、伸縮パワーの大きい領域１７における伸縮性弾性糸の糸使いとしては、例えば１４０デニールのポリウレタン弾性糸を２本編込み（給糸）してナイロン糸等の合成繊維糸と適宜に交編して１コースを編成し、更に次のコースにおいては１４０デニールのポリウレタン弾性糸を３本編込み（給糸）して同様に合成繊維糸と交編して１コースを編成するもので、以上のような編成法にて伸縮パワーの大きい領域１７が編成されるのである。
【００１９】
同様にして表地１２の伸縮性レース生地における伸縮パワーの小さい領域１８においては、伸縮性弾性糸として例えば１４０デニールのポリウレタン弾性糸を１本（単糸使い）編込み（給糸）して同様に合成繊維糸と交編して１コースを編成し、以下これを順次繰り返して編成し、伸縮パワーの小さい領域１８が編成されるのである。
【００２０】
尚、前記伸縮パワーの大きい領域１７は、表地１２の下辺部に沿って形成するようにしてあり、且つ同領域１７の幅（編幅）は、５〜３０ｍｍの範囲が好ましい。
また上記伸縮パワーの大きい領域１７以外の部位、即ち表地１２の上側部分は、伸縮パワーの小さい領域１８で形成されるようにしてある。
【００２１】
尚、上記伸縮パワーの大きい領域１７における伸縮性弾性糸の糸使いとして、１コース当たりのポリウレタン弾性糸の編込本数（給糸本数）は、２〜５本の範囲が好適である。
同様に伸縮パワーの小さい領域１８における伸縮性弾性糸の糸使いとして、１コース当たりのポリウレタン弾性糸の編込本数（給糸本数）は、１〜２本の範囲が好適である。
【００２２】
また上記伸縮パワーの大きい領域１７及び伸縮パワーの小さい領域１８におけるポリウレタン弾性糸の太さとしては、両領域共に同じ太さ（繊度）が好ましく、且つ同弾性糸の共通の太さとしては、１４０〜４５０デニールの範囲のポリウレタン弾性糸が好ましいのである。
【００２３】
更に脇部連結帯１４における伸縮性経編地による裏地１３について、同裏地１３の編成法としては、ポリウレタン弾性糸と合成繊維糸の交編により、パワーネット等を編成するもので、この場合、１コース当たりのポリウレタン弾性糸の編込本数（給糸本数）としては、１〜２本の範囲が好ましく、また同弾性糸の太さとしては、１４０〜４５０デニールの範囲のポリウレタン弾性糸が好適である。
【００２４】
尚、上記裏地１３におけるポリウレタン弾性糸の編込本数（給糸本数）については、前記伸縮パワーの小さい領域１８の場合と同程度か若しくは同領域１８に較べて編込本数が少ない方が好ましく、更に裏地１３におけるポリウレタン弾性糸の太さについても同様に伸縮パワーの小さい領域１８の場合と同程度か若しくは同領域１８に較べて太さ（繊度）が細い方が好ましいのである。
【００２５】
【発明の効果】
本発明は上述の如く、脇部連結帯に伸縮性レース生地による表地と伸縮性を有する裏地が用いられているブラジャーにおいて、同裏地の伸縮パワーを表地の伸縮パワーよりも小さくなるように設定し、且つ表地の下辺部に伸縮パワーの大きい領域を設けると共に、同表地の上側部に伸縮パワーの小さい領域を設け、更に伸縮パワーの大きい領域では、ポリウレタン弾性糸の編込本数を伸縮パワーの小さい領域よりも多くして編み込み、しかも伸縮パワーの大きい領域の幅（編幅）を５ｍｍ〜３０ｍｍとしたことにより表地が裏地により確実に保持されて表地の形態安定性が、より向上するのである。
【００２６】
特に表地に対して裏地を裏打ち状に設けて脇部連結帯を二重構造に形成したことにより、部位によって伸縮パワーの異なる表地が、肌面に食込んだり、或いは位置ズレや歪み等の現象を生ずることがなくなり、且つカップ部を安定的に保持することができるので、乳房の補正機能を十分に果たすことができるのである。
また裏地は表地よりも伸縮パワーの小さい伸縮性布地を使用することにより、脇部連結帯による過度の締め付けが軽減され、着用圧が小さくなって身体へのフィット性がより向上し、優れた着用感が得られるのである。
【図面の簡単な説明】
【図１】本発明におけるブラジャ−の正面図である。
【図２】本発明におけるブラジャ−の背面図である。
【図３】本発明のブラジャーにおける脇部連結帯の一部切り欠きによる拡大正面図である。
【図４】本発明のブラジャーにおける脇部連結帯の拡大背面図である。
【図５】図３におけるＸ−Ｘ断面による拡大図である。
【図６】図４におけるＹ−Ｙ断面による拡大図である。
【符号の説明】
２  カップ部
３  土台部
５  バック部
１２  表地
１３  裏地
【図１】
0004546599.tif 000002
【図２】
0004546599.tif 000003
【図３】
0004546599.tif 000004
【図４】
0004546599.tif 000005
【図５】
0004546599.tif 000006
【図６】
0004546599.tif 000007